(57)【要約】【課題】防塵性、通気性を確保し、見た目のデザインも着た人が満足できるような、作業性、視認性を向上させることができるクリーンスーツ及びフード。【解決手段】スーツ本体１１が上衣１２とズボン１３とにより一体に形成されて、着衣者の腰部から臀部に掛けての全周が二重構造に形成され、腰部から下方に向けて開放されて上衣１２が構成される。スーツ本体１１の背中の部分には、通気性のために、メッシュ部が設けられる。上衣１２の袖口部及びズボンの裾部は、二重構造で、外側が筒状であり、その内側にゴム等を用いて手首、足首に止められる構造の袖口及び裾部が設けられる。襟の部分も二重構造とされ、上側の襟１４及び下側の襟１４’により構成され、下側の襟１４’は、ファスナー１７’を閉じたとき着用者の首回りにフィットする。上側の襟１４は、ファスナー１７により襟１４を立てて閉じると、着用者の口を覆うマスクとして機能する。【選択図】　　　図１
2004115990.tif 000002
【特許請求の範囲】
【請求項１】
クリーンルーム内で着用するクリーンスーツであって、襟が二重に形成され、外側の襟は、開放可能に構成され、かつ、閉じた状態で着衣者の口を覆うマスクの機能を有することを特徴とするクリーンスーツ。
【請求項２】
クリーンルーム内で着用するクリーンスーツであって、上衣とズボンとが一体に形成され、少なくとも、着衣者の腰部から臀部に掛けての全周が二重構造に形成され、腰部から下方に向けて開放された服地が外側に形成されていることを特徴とするクリーンスーツ。
【請求項３】
クリーンルーム内で着用するクリーンスーツであって、上衣とズボンとが一体に形成され、着衣者の襟から臀部にかかる部分が二重構造に形成されていることを特徴とするクリーンスーツ。
【請求項４】
着脱可能な小物入れまたはホルダーを備えることを特徴とする請求項１、２または３記載のクリーンスーツ。
【請求項５】
前記小物入れまたはホルダーは、底面に開口部を有するかまたは少なくとも底面がメッシュ素材で構成されたことを特徴とする請求項４記載のクリーンスーツ。
【請求項６】
前記ホルダーは、中を見るための窓を備えた携帯電話機、ＰＨＳまたはＰＤＡ用のホルダーを含むことを特徴とする請求項４または５記載のクリーンスーツ。
【請求項７】
イヤホン、マイク、及び、これらのコードを保持する保持手段をそなえることを特徴とする請求項１ないし６のうちいずれか１記載のクリーンスーツ。
【請求項８】
前記上衣の左右両端に縦長の他の部分とは色の異なる領域を有することを特徴とする請求項１ないし７のうちいずれか１記載のクリーンスーツ。
【請求項９】
クリーンルーム内で着用するクリーンスーツ用のフードであって、後部の少なくとも一部がメッシュ素材により構成されていることを特徴とするクリーンスーツ用のフード。
【請求項１０】
クリーンルーム内で着用するクリーンスーツ用のフードであって、着脱可能なシールドを備え、該シールドは着用時に該フードとの連結部を軸に回動可能であることを特徴とするクリーンスーツ用のフード。
【発明の詳細な説明】
【０００１】
【発明の属する技術分野】
本発明は、クリーンルーム内で着用するクリーンスーツ及びクリーンスーツ用フードに係り、特に、エンジニア、テクニシャン等の作業者がクリーンルーム内で着用するために用いて好適なクリーンスーツに関する。
【０００２】
【従来の技術】
半導体製造ラインのクリーンルームで使用するクリーンスーツに関する従来技術としては、例えば、特許文献１に記載された技術が知られている。この種の従来技術によるクリーンスーツは、クリーンルームのクリーン度を維持することを最大の目的としているため、防塵性を最大限に重視してデザインされ、できるだけシンプルなデザインとされていた。
【０００３】
しかし、見た目のデザインを重視したクリーンスーツに関する従来技術は知られていなかった。
【０００４】
【特許文献１】
特開平３−７６８０３号公報
【０００５】
【発明が解決しようとする課題】
前述した従来技術によるクリーンスーツは、防塵性を最大限に重視してデザインされているので、体にぴったりするような構造を持ち、通気性が犠牲にされており、着用者にとって汗をかき易く、快適性のあるものではなかった。このため、従来技術によるクリーンスーツは、着心地が悪く長時間クリーンルームでの作業を行うと、非常に疲れを感じさせ、特に、クリーンスーツを着慣れない人にとって大きなストレスを与えるものであった。また、従来技術によるクリーンスーツは、快適性を求めようとした場合、防塵性の観点から背中にスリットを設ける等の限られた工夫しかなされていなかった。
【０００６】
従来技術によるクリーンスーツは、作業者が作業に必要とする小物類を所持するための防塵性を考慮したポケットがスーツ自体及びベルトに設けられていないため、また、作業者が日常的に使用する携帯電話機、ＰＨＳ等の移動端末を所持するための防塵性を考慮したホルダが設けられておらず、これらを手に持って使用しなければならないため、作業性に問題を生じさせていた。
【０００７】
さらに、従来技術によるクリーンスーツは、デザインに個性がなく、防塵性能重視のための画一的なデザインであったため、作業者の識別、作業者グループの識別が困難であった。
【０００８】
前述したように、従来技術によるクリーンスーツは、着心地が悪く、長時間クリーンルーム内に滞在すると、汗をかいたり、疲れを感じたり、特に、クリーンスーツを着慣れない人にとって、大きなストレスを与えてしまうという問題点を有している。
【０００９】
また、従来技術によるクリーンスーツは、作業者が作業に必要とする小物類を所持するための防塵性を考慮したポケット、作業者が日常的に使用する携帯電話機、ＰＨＳ、ＰＤＡ等の移動端末を所持するための防塵性を考慮したホルダを設けた構造となっていないため、両手を使用した作業が困難な場合を生じさせ、作業性を悪化させるという問題点を有している。
【００１０】
さらに、従来技術によるクリーンスーツは、クラス１（サイズ０．１μ以上のゴミが１立法フィート内に１個未満のクリーン度）相当の環境内での作業に適合させた性能を持つものであり、３００ｍｍミニエン半導体工場、すなわち、局所クリーンルームを用いる半導体工場で、クラス１０００（サイズ０．１μ以上のゴミが１立法フィート内に１０００個未満のクリーン度）程度でよい環境内での使用には過度の性能のものであったという問題点を有している。
【００１１】
本発明の目的は、前述した従来技術の問題点を解決し、３００ｍｍミニエン半導体工場、すなわち、局所クリーンルームを用いる半導体工場で、エンジニア、テクニシャン等の作業者が着用するのに好適なクリーンスーツを提供することにある。
【００１２】
すなわち、本発明の目的は、クラス１０００等で必要な、ある程度の防塵性を確保しながら、通気性を確保し、見た目のデザインも着た人が満足できるような、また、作業者、作業者グループの識別が容易に行えるようにデザインしたクリーンスーツ及びクリーンスーツ用フードを提供することにある。
【００１３】
【課題を解決するための手段】
本発明によれば前記目的は、クリーンルーム内で着用するクリーンスーツであって、襟が二重に形成され、外側の襟は、開放可能に構成され、かつ、閉じた状態で着衣者の口を覆うマスクの機能を有することにより、また、上衣とズボンとが一体に形成され、少なくとも、着衣者の腰部から臀部に掛けての全周が二重構造に形成され、腰部から下方に向けて開放された服地が外側に形成されていることにより、あるいは、上衣とズボンとが一体に形成され、着衣者の襟から臀部にかかる部分が二重構造に形成されていることにより達成される。
【００１４】
また、前記目的は、クリーンルーム内で着用するクリーンスーツ用のフードであって、後部の少なくとも一部がメッシュ素材により構成されていることにより、また、着脱可能なシールドを備え、該シールドが着用時に該フードとの連結部を軸に回動可能であることにより達成される。
【００１５】
【発明の実施の形態】
以下、本発明によるクリーンスーツ及びクリーンスーツ用フードの実施形態を図面により詳細に説明する。
【００１６】
図１は本発明の一実施形態によるクリーンスーツの外観の形状を説明する図、図２は本発明の一実施形態によるクリーンスーツの背面の状態及びクリーンスーツ全体の構造を説明する断面図である。図１、図２において、１１はスーツ本体、１２は上衣、１３はズボン、１４、１４’は襟、１５はカラーリング部、１６は口当て部、１７、１７’、１８はファスナー、１９、２２はメッシュ部、２０は携帯電話機ホルダー、２１はスナップ、４０はフードである。
【００１７】
まず、図２を参照して、本発明の一実施形態によるクリーンスーツの全体の構造について説明する。本発明の一実施形態によるクリーンスーツは、図２から判るように、スーツ本体１１が上衣１２とズボン１３とにより一体に形成されており、少なくとも、着衣者の腰部から臀部に掛けての全周が二重構造に形成され、腰部から下方に向けて開放された服地が外側に形成されて上衣１２が構成されている。二重構造とされる部分は、図２には着用者の脇の下の部分から下の部分として示しているが、腰の位置より上であればどのような位置からであってもよい。そして、スーツ本体１１の背中の部分には、通気性をよくするために、メッシュ部２２が設けられている。
【００１８】
また、上衣１２の袖口部及びズボンの裾部は、二重構造となっており、外側が筒状であり、その内側にゴム等を用いて手首、足首に止められる構造の袖口及び裾部が設けられて構成される。これにより、見た目のデザインを通常のスーツのように見せることができ、かつ、発塵を防止することができる。
【００１９】
前述したような構造を持つ本発明の一実施形態によるクリーンスーツは、図１（ａ）にその着用状態での外観を示しているように、その外観がツーピースのスーツであるように見えるが、実際には、図２により説明したように、ワンピースのスーツとしての構造を有している。そして、図１（ａ）に示すように、襟の部分も二重構造とされ、上側の襟１４及び下側の襟１４’により構成される。
【００２０】
下側の襟１４’は、ファスナー１７’を閉じたとき着用者の首回りにフィットするようにされている。そして、ファスナー１７’は、図１（ｂ）に示すようにズボン１３の腰下の位置まで連続して設けられる。また、上側の襟１４は、中央部よりサイド側（図１（ａ）に示す例では、正面から見て右側）に寄った位置で開かれており、通常、折り返された状態にあり、ファスナー１７により襟１４を立てて閉じることができる。この襟１４を立ててファスナー１７により閉じた状態を図１（ｃ）に示しており、この図から判るように、襟１４をファスナーにより閉じると、襟１４が、着用者の口を覆うマスクとしての機能を持つことになる。そしてファスナー１７は、上着の着衣者の腰あるいは腰よりやや上の位置まで連続して設けられている。
【００２１】
前述したファスナー１７、１７’を全部開くと、ズボン１３の腰下の位置から着衣者の首の位置までが全部大きく開くことになり、着衣者は、この大きな開口を使用して、クリーンスーツの着脱を容易に行うことができる。
【００２２】
前述したように襟１４をマスクとして使用する場合に、着用者の口に当たる襟１４の部分には、図１（ａ）に示すように、図示しない面状ファスナー等により着脱可能に、口当て部１６が設けられている。口当て部１６は、取外し可能とすることにより、頻繁に洗濯を行うことができ清潔に保つことができる。
【００２３】
そして、上衣１２の左右両端には、縦長に形成された他の部分とは色の異なる領域としてのカラーリング部１５が設けられている。このカラーリング部１５の色を複数種類用意することにより、作業者、作業者グループの識別を容易に行うことが可能となる。
【００２４】
また、上衣１２の下端部には、携帯電話機等を保持する携帯電話機ホルダー２０がスナップ２１により着脱可能に取り付けられている。この取り付け位置は、図１（ａ）から判るように、正面から見て中央より右サイドに寄った位置とされる。この位置は、スーツの着用者が右手で携帯電話機等を持つときに使いやすい位置である。そして、このホルダー２０は、後述するように、ベルトに取り付けるようにしてもよく、前面部に窓が開けられ、あるいは、透明部材が設けられて構成され、携帯電話機等を逆向きに収納するようにされている。これにより、スーツの着用者は、ホルダー２０から携帯電話機等を取り出さなくても、ホルダー２０ごと携帯電話機等を下から上方に持ち上げたとき、携帯電話機等の表示画面を正立した状態で見ることができ、受信したメール等を見るだけでよいような場合に便利である。
【００２５】
さらに、上衣１２の下端部は、図１（ｂ）に示すように、着衣者の腰部、前述したファスナー１７が伸びている位置から下方に向けて、前述のホルダー２０が設けられる位置の向かって右側の位置で開放されている。また、スーツ本体の着衣者の脇の下に位置する部分は、通気性を確保するためにメッシュ部１９が設けられている。
【００２６】
前述したように、本発明の実施形態によるクリーンスーツは、スーツ本体１１が上衣１２とズボン１３とを一体に形成しており、上衣１２とズボン１３との連結部にベルトを着用する。そのベルトには、工具を保持する工具用ホルダ、小物類を格納する小物用ポケットが取り付けられる。次に、ベルトに取り付ける工具用ホルダ、小物用ポケットについて説明する。
【００２７】
図３はベルトに取り付ける工具用ホルダ、小物用ポケットについて説明する図である。図３において、３１はベルト、３２はベルト通し、３３はベルト通し穴、３４は小物用ポケット、３５は工具ホルダ、３６はメッシュ部、３７はファスナー、３８はリング状部材である。
【００２８】
小物用ポケット３４、工具ホルダ３５は、図３（ａ）に示すように、ベルト３１に取り付けられて使用され、また、図示しないが携帯電話機ホルダー２０も、上衣１２に取り付けるのではなく、ベルト３１に取り付けて使用することができる。ベルト３１に取り付けるため、小物用ポケット３４、工具ホルダ３５及びベルト取り付け用の携帯電話機ホルダー２０のそれぞれには、図３（ｂ）〜図３（ｄ）に示すように、ベルト通し穴３３を有するベルト通し３２が設けられて構成される。そして、クリーンスーツの着用者は、図３（ａ）に示すように、装着すべきポケット、ホルダー等のベルト通し穴３３にベルト３１を通した後に、そのベルト３１を腰部に装着することになる。
【００２９】
小物用ポケット３４は、図３（ｂ）に示すように、ベルト３１に近い位置にファスナー３７が設けられ、下部にメッシュ部３６が設けられて構成される。下部にメッシュ部３６を有することにより、ポケット内にゴミ等が溜まることがなく、ポケットに入れた小物を出すときに、一緒にゴミを排出してクリーンルーム内を汚染するようなことを防止することができる。
【００３０】
工具ホルダ３５は、図３（ｃ）に示すように、作業時に必要な工具をすぐに取り出せるように、また、ゴミ等が溜まる部分がないように、１枚の布材に工具を吊り下げて保持するためのリング状部材３８を複数取り付けて構成される。
【００３１】
また、携帯電話機ホルダー２０は、図３（ｄ）に示すように、携帯電話機の形状に合わせた大きさで、ゴミ等が溜まることがないように、下端部が開いた状態とされ、携帯電話機が抜け落ちないように、ベルト等が下端部に設けられている。また、図３（ｄ）に示すように、携帯電話機ホルダー２０の前面側が透明部材で形成されている。そして、携帯電話機ホルダー２０、前面側の下部の部分、携帯電話機をその上部をホルダー２０の下端部に向けて収納したとき、表示部となる部分を開いた窓としてもよい。携帯電話機ホルダー２０は、このような構造を持つことにより、ホルダーごと携帯電話機等を下から上方に持ち上げたとき、携帯電話機等の表示画面を正立した状態で見ることができ、受信したメール等を見るだけでよいような場合に便利である。また、透明部材をやわらかい部材としておくことにより、透明部材の上からキーの操作を行うこと可能となる。
【００３２】
一般に、前述したようなクリーンスーツを着用して半導体製造ラインのクリーンルームで作業を行う場合、クリーンスーツと共に頭部にフードを使用するのが一般的であり、次に、本発明の実施形態によるクリーンスーツと共に使用するフードについて説明する。
【００３３】
図４は本発明の一実施形態によるフードとシールドとの形状を説明する図である。図４において、４０はフード、４１はシールド、４２は耳部メッシュ部、４３はスナップ、４４はタブ、４５はマイクホルダ、４６は鍔部、４７は後頭部メッシュ部、４８、４９は面状ファスナー、５０はマイクである。
【００３４】
フード４０は、図４（ａ）に示すように、フード４０を着用者が頭部に被ったときに額の位置に鍔部４６が位置するように鍔部４６が設けられ、鍔部４６の両サイドにスナップ４３が設けられている。このスナップ４３は、作業を行うクリーンスーツの着用者の目を保護する透明部材により形成されたシールド４１を着脱可能に保持している。そして、シールド４１は、シールド４１の着用時にフード４０との連結部としてのスナップ４３を軸に回動可能である。シールド４１をこのようにフード４０に取り付けることにより、クリーンスーツを着用した作業者は、作業の都合によりシールド４１が邪魔になるような場合、例えば、顕微鏡を覗かなければならないような場合に、シールド４１を外したり、回動させたりすることにより、シールド４１を通すことなく直接自分の目で物を観察することができる。
【００３５】
また、フード４０の着用者の耳に当たる位置には、通気性の確保と、他の人との会話のために耳部メッシュ部４２が設けられている。さらに、フード４０の裾部は、スーツ着用者の首の回りを覆うようなタブ４４が設けられており、タブ４４の一方の端部には面状ファスナー４８が設けられて、反対側の着用者の首の付近に設けられたもう１つの面状ファスナー４９と結合することができる。これにより、クリーンスーツの着用者は、下側となるスーツの襟１４’の上に、タブ４４を巻き付けることができ、肩から上の顔以外の部分を露出させないようにすることができる。
【００３６】
さらに、タブ４４の面状ファスナー４８が設けられる側とは反対側の端部には、クリーンスーツの着用者が携帯電話機を手に持たずに通話をおこなうために使用するイヤホンのコード及びマイク５０を保持するマイクホルダ４５が設けられる。イヤホン及びマイクのコードは、上衣１２のファスナーの内側を通ってベルト１５または上衣１２の裾の近くに設けられた携帯電話機ホルダ２０の位置まで導かれる。
【００３７】
また、フード４０の後部には、図４（ｂ）に示すように、着衣者の頭部における通気を確保するための頭頂部から後頭部にかけて後頭部メッシュ部４７が設けられている。これにより、着衣者の頭部の蒸れを防止することができ、作業者の前面方向への発塵をも防止することができる。
【００３８】
前述した本発明の実施形態によるクリーンスーツは、上衣、ズボンを含むスーツ本体、フードのそれぞれが、ポリエステル長繊維で織られた通気性のある織物構造を有する布により構成されるのが好適であり、布内に導電糸を織り込んだものを使用すれば、静電気の発生を抑えることができ、さらに好適である。
【００３９】
前述したように、本発明の実施形態によるクリーンスーツは、スーツ本体１１が上衣１２とズボン１３とが一体に形成されいるにも係わらず、少なくとも、着衣者の腰部から臀部に掛けての全周が二重構造に形成され、腰部から下方に向けて開放された服地が外側に形成されて上衣１２が構成されていため、ワンピース構造を持ちながら外見をツーピースに見せることができ、見た目のデザインを着る人が満足することができるようなものとすることができ、しかも、装着感のよいものとすることができる。
【００４０】
また、本発明の実施形態によるクリーンスーツ及びフードは、スーツ及びフードの各所に通気性のよいメッシュ部を構成しているので、通気性のある機能性の高いものとすることができ、クラス１０００等で必要とされるある程度の防塵性を確保しつつ、快適性を確保し、長時間の作業、体力を要する作業等での作業性を向上させることができる。
【００４１】
また、本発明の実施形態によるクリーンスーツは、ゴミ等の溜まりにくい小物用ポケット、工具ホルダ、携帯電話機用ホルダを備えているので、両手を使用する作業も容易となり作業性を向上させることができ、マイク、イヤホンを使用したハンズフリーでの携帯電話による通話も可能となる。また、上衣の左右両端に、縦長に形成された他の部分とは色の異なる領域としてのカラーリング部を備えているため、着衣者の体形をスリムに見せることができ、複数の色を使い分けることにより、作業者あるいは作業者グループを容易に識別することができ、色使いによっては、視認性を向上させることができる。
【００４２】
以上、本発明によるクリーンスーツの実施形態を説明したが、本発明は、前述した実施形態にのみ限定されるものではなく、例えば、次のように変形することが可能である。
【００４３】
すなわち、前述した本発明の実施形態は、ツーピース風ワンピースとして構成したが、実際のツーピース構造としても、あるいは、上衣部分の二重構造をやめて、つなぎ風のワンピースとしてもよい。また小物用ポケットのメッシュ部は、ポケットの一部であっても、全部であってもよい。携帯電話機ホルダは、携帯電話機に限らず、ＰＨＳ、トランシーバー等の端末、ＰＤＡ、小型ＰＣ等のモバイル機器を保持するように構成することができる。さらに、イヤホン、マイクのコードは、音声だけでなく画像、映像等を伝送可能なものとすることができ、例えば、ゴーグル型のディスプレイを持ったウェアラブルコンピュータ用のものとすることもできる。
【００４４】
【発明の効果】
以上説明したように本発明によれば、ある程度の防塵性を確保しながら、通気性を確保し、見た目のデザインも着た人が満足できるようにデザインしたクリーンスーツを提供することがてき、また、作業性、視認性を向上させることができる。
【図面の簡単な説明】
【図１】本発明の一実施形態によるクリーンスーツの外観の形状を説明する図である。
【図２】本発明の一実施形態によるクリーンスーツの背面の状態及びクリーンスーツ全体の構造を説明する断面図である。
【図３】ベルトに取り付ける工具用ホルダ、小物用ポケットについて説明する図である。
【図４】本発明の一実施形態によるフードとシールドとの形状を説明する図である。
【符号の説明】
１１　スーツ本体
１２　上衣
１３　ズボン
１４、１４’　襟
１５　カラーリング部
１６　口当て部
１７、１７’
１８　ファスナー
１９、２２　メッシュ部
２０　携帯電話機ホルダー
２１　スナップ
３１　ベルト
３２　ベルト通し
３３　ベルト通し穴
３４　小物用ポケット
３５　工具ホルダ
３６　メッシュ部
３７　ファスナー
３８　リング状部材
４０　フード
４１　シールド
４２　耳部メッシュ部
４３　スナップ
４４　タブ
４５　マイクホルダ
４６　鍔部
４７　後頭部メッシュ部
４８、４９　面状ファスナー
５０　マイク
【図１】
2004115990.tif 000003
【図２】
2004115990.tif 000004
【図３】
2004115990.tif 000005
【図４】
2004115990.tif 000006